(57)【要約】【課題】不要波長域に対するカットを行う色域調整フィルタによって広色域化を容易に行う。【解決手段】カラー表示装置１は、液晶パネル１７の裏面側に配置された導光板１３の側面に対向してＬＥＤ１２が配置されている。導光板１３の側面とＬＥＤ１２との隙間に、青色と緑色の混合波長域の光の透過を遮断するフィルタと緑色と赤色の混合波長域の光の透過を遮断するフィルタとが両面に形成された色域調整フィルタ板１９が介設されている。【選択図】図４
2016004141.tif 000002
【特許請求の範囲】
【請求項１】
液晶パネルの裏面側に配置された導光板の側面に対向して白色光源が配置されたカラー表示装置において、前記導光板の側面と前記白色光源との隙間に、青色と緑色の間の所定波長域の光の透過を遮断する第１のフィルタ、緑色と赤色の間の所定波長域の光の透過を遮断する第２のフィルタ、青色に比して短波長側の波長域をカットする第３のフィルタ、及び赤色に比して長波長側の波長域をカットする第４のフィルタの内、少なくとも１つ以上のフィルタが重畳方向に配置されたフィルタ板を介設したことを特徴とするカラー表示装置。
【請求項２】
前記フィルタ板に、前記第１のフィルタと前記第２のフィルタとが重畳方向に配置されていることを特徴とする請求項１に記載のカラー表示装置。
【請求項３】
前記フィルタ板は、一方面に前記第１のフィルタを有し、他方面に前記第２のフィルタを有することを特徴とする請求項１又は２に記載のカラー表示装置。
【請求項４】
前記第１のフィルタは、前記フィルタ板の片面であって、前記導光板の側面側となる面に形成されていることを特徴とする請求項１又は２に記載のカラー表示装置。
【請求項５】
前記白色光源を前記導光板の厚さ方向の両側から挟持する第１、第２の支持部材を備え、前記第１、第２の支持部材の少なくとも一方は、前記フィルタ板を位置決めする位置決め部を有する請求項１〜４のいずれかに記載のカラー表示装置。
【請求項６】
前記位置決め部は、溝である請求項５に記載のカラー表示装置。
【請求項７】
前記フィルタ板は、前記第１の支持部材と当接する側がＬ字状に屈曲されてなり、前記位置決め部は、前記第２の支持部材に設けられた溝である請求項５又は６に記載のカラー表示装置。
【請求項８】
前記第１、第２の支持部材は、前記導光板の厚さ方向に平行な方向から、前記フィルタ板を挟んで互いに嵌合する形状を有する請求項１〜５のいずれかに記載のカラー表示装置。
【発明の詳細な説明】
【技術分野】
【０００１】
本発明は、液晶パネルの裏面側に配置された導光板の側面にバックライト用の白色光源が対向配置されたカラー表示装置に関する。
【背景技術】
【０００２】
液晶表示装置は、バックライトであるＬＥＤ、入射光を拡散して平面光として出射する導光板及び液晶パネルを備え、バックライトからの光を導光板で平面光にして液晶パネルに導き、液晶パネルの各色のカラーフィルタを介して各色の光を出力する。液晶表示装置は、一般にＬＥＤや液晶パネルに汎用性を持たせることで低コスト化を図るようにしている一方、ある色域を変更するなどによる広色域化に際しては、液晶パネルのカラーフィルタやＬＥＤの発光スペクトルを変更しなければならず、それぞれ専用仕様となってコスト増や管理の煩雑を招いている。
【０００３】
特許文献１には、導光板の側面にＲＧＢ各色のＬＥＤが複数配置されたサイドエッジ型の液晶表示装置が記載されている。このサイドエッジ型の液晶表示装置は、各ＬＥＤの出射面に直接、各ＬＥＤの出射光に対応した色毎の波長幅を狭める波長選択フィルタを形成することで、色再現性をより向上させている。
【０００４】
特許文献２には、白色ＬＥＤが導光板の側面に複数配置されたサイドエッジ型の液晶表示装置が記載されている。このサイドエッジ型の液晶表示装置は、約５９０ｎｍを中心とした帯域遮断域を有する、シート状、フィルム状あるいは板状のバンドカットフィルタが導光板と液晶パネルとの間に介設されて色再現性の向上を図っている。
【先行技術文献】
【特許文献】
【０００５】
【特許文献１】特開２００８−５２０６７号公報
【特許文献２】ＷＯ２０１１／１３５９０９  Ａ１
【発明の概要】
【発明が解決しようとする課題】
【０００６】
特許文献１に記載されたサイドエッジ型の液晶表示装置は、ＲＧＢ各色のＬＥＤを多数用いて光源とするタイプであるため、各色のＬＥＤに対応した３種類の波長選択フィルタが必要とされ、しかも、各色の波長選択フィルタは対応するＬＥＤの発光面に直接形成された一体構成とされている。
【０００７】
また、特許文献２に記載されたサイドエッジ型の液晶表示装置は、バンドカットフィルタで吸収した波長成分のエネルギーを熱に変換して液晶パネルを均一に加温することによって液晶の応答速度の分布の発生を抑制するものであるため、バンドカットフィルタを導光板と液晶パネルとの間に介設することが好ましいとするものである。
【０００８】
本発明は、上記に鑑みてなされたものであって、本来の色域から外れた不要な波長域、より好ましくは混合色帯域に対するカット（遮断）を行う色域調整フィルタによって広色域化を容易に行うカラー表示装置を提供することを目的とする。
【課題を解決するための手段】
【０００９】
本発明は、液晶パネルの裏面側に配置された導光板の側面に対向して白色光源が配置されたカラー表示装置において、前記導光板の側面と前記白色光源との隙間に、青色と緑色の間の所定波長域の光の透過を遮断する第１のフィルタ、緑色と赤色の間の所定波長域の光の透過を遮断する第２のフィルタ、青色に比して短波長側の波長域をカットする第３のフィルタ、及び赤色に比して長波長側の波長域をカットする第４のフィルタの内、少なくとも１つ以上のフィルタが重畳方向に配置されたフィルタ板を介設したことを特徴とするものである。
【００１０】
この発明によれば、白色光源から出射した光はフィルタ板を通過する際に、第１のフィルタによって青色と緑色の間の所定波長域の光、すなわち混合光の透過が遮断され、第２のフィルタによって緑色と赤色の間の所定波長域の光、すなわち混合光の透過が遮断される。また、青色に比して短波長域側、さらに赤色に比して長波長域の光が遮断される。従って、少なくとも１つ以上が採用されるフィルタの種類によって、導光板を経て液晶パネルに導かれる光は、青色と緑色及び緑色と赤色の各相互混合分を含む不要な波長域が低減されることになるので、単色表示時の色再現性が向上、すなわち広色域化が図れる。また、液晶パネルのカラーフィルタ特性及び白色光源の発光スペクトラムを変更することなく、フィルタ板で適宜の広色域化が図れる。
【００１１】
また、前記フィルタ板に、前記第１のフィルタと前記第２のフィルタとが重畳方向に配置されていることを特徴とする。この構成によれば、白色光源から出射した光はフィルタ板を通過する際に、第１のフィルタによって青色と緑色の間の所定波長域の光、すなわち混合光の透過が遮断され、第２のフィルタによって緑色と赤色の間の所定波長域の光、すなわち混合光の透過が遮断される。従って、導光板を経て液晶パネルに導かれる光は、青色、緑色及び赤色の相互混合分が低減されているので、単色表示時の色再現性が向上、すなわち広色域化が図れる。
【００１２】
また、前記フィルタ板は、一方面に前記第１のフィルタを有し、他方面に前記第２のフィルタを有することを特徴とするものである。この構成によれば、フィルタ板の材料と第１、第２のフィルタの材料との熱膨張率の違いがあった場合に、フィルタ板の一方面側に第１、第２のフィルタを形成する場合に比して、フィルタ板の反りの発生が抑制される。
【００１３】
また、前記第１のフィルタは、前記フィルタ板の片面であって、前記導光板の側面側となる面に形成されていることを特徴とするものである。この構成によれば、フィルタ板の出射側に重要視される光、ここでは青色と緑色の間の光を遮断することで、かかる波長の迷光の発生がより抑制される。
【００１４】
また、前記白色光源を前記導光板の厚さ方向の両側から挟持する第１、第２の支持部材を備え、前記第１、第２の支持部材の少なくとも一方は、前記フィルタ板を位置決めする位置決め部を有するものである。この構成によれば、位置決め部材によってフィルタ板の位置ずれが防止され、また隣接する部材、例えば白色光源や導光板に不用意に接触してキズが付着する等が防止される。
【００１５】
また、前記位置決め部を溝で構成すれば、簡易な構造でフィルタ板の位置決めが可能となる。
【００１６】
また、前記フィルタ板は、前記第１の支持部材と当接する側がＬ字状に屈曲されてなり、前記位置決め部は、前記第２の支持部材に設けられた溝である。この構成によれば、フィルタ板のＬ字状の屈曲部分が第１の支持部材と当接することで、フィルタ板が溝から抜けることが防止される。
【００１７】
また、前記第１、第２の支持部材は、前記導光板の厚さ方向に平行な方向から、前記フィルタ板を挟んで互いに嵌合する形状を有するものである。この構成によれば、第１、第２の支持部材の組み付け前に、フィルタ板を位置決め部に装着し、次いで第１、第２の支持部材を対向側から組み付けることができるので、取り付け作業性がよく、またフィルタ板の交換作業も容易に行われる。
【発明の効果】
【００１８】
本発明によれば、本来の色域から外れた不要な波長域、より好ましくは混合色帯域に対するカットを行う色域調整フィルタによって広色域化を容易に行うことができる。
【図面の簡単な説明】
【００１９】
【図１】本発明に係るカラー表示装置の概略構成を示す図で、（ａ）は側面視の図で、（ｂ）は色域調整フィルタ板の断面図である。
【図２】液晶パネルのカラーフィルタの透過率特性を説明する図である。
【図３】色域調整フィルタの有無による色広域化の効果を説明する図で、（ａ）〜（ｃ）は比較例、（ｄ）〜（ｆ）は本発明に係る実施例である。
【図４】本発明の第１の実施形態に係るカラー表示装置の部分構成図で、（ａ）は斜視図、（ｂ）は一部拡大側面断面図である。
【図５】本発明の第２の実施形態に係るカラー表示装置の部分構成図で、（ａ）は斜視図、（ｂ）は一部拡大側面断面図である。
【図６】本発明の第３の実施形態に係るカラー表示装置の部分構成図で、（ａ）は斜視図、（ｂ）は一部拡大側面断面図である。
【図７】本発明の第４の実施形態に係るカラー表示装置の部分構成図で、（ａ）は斜視図、（ｂ）は一部拡大側面断面図である。
【発明を実施するための形態】
【００２０】
図１（ａ）に示すカラー表示装置１は、サイドエッジ型で、シャーシ１０、ＬＥＤ基板１１、ＬＥＤ１２、導光板１３、反射シート１４、光学シート１５、フレーム１６、液晶パネル１７、及び枠体１８を備えている。また、カラー表示装置１は、色域調整フィルタ板１９を有する。
【００２１】
シャーシ１０は、アルミニウム等の金属製で、所要厚さを有する板状のシャーシで、例えば後述する図４に示すように、液晶パネル１７と略同形状の長方形を有する。シャーシ１０は、一端縁に、本実施例では左端側に屈曲された立直部１０１を有し、この立直部１０１を利用して、後述するようにサイドエッジ型を構成する各部材が支持されている。
【００２２】
シャーシ１０の上面には、下層側から反射シート１４、導光板１３、光学シート１５及び液晶パネル１７が、この順で積層配置されている。シャーシ１０の立直部１０１には、ＬＥＤ基板１１とＬＥＤ１２とが一体で支持され、このＬＥＤ１２と導光板１３の側面との間に形成された間隙に、所要厚を有する板状の色域調整フィルタ板１９が支持されている。ＬＥＤ基板１１は、図１の奥行き方向に長尺を有する板状体で、長手方向に同一のＬＥＤ１２を複数個実装配列すると共に、図略の電源（ＬＥＤ駆動回路）とそれぞれとを接続する配線が形成されている。なお、必要に応じてＬＥＤ駆動回路（図示せず）が実装される場合もある。この場合、ＬＥＤ１２は１種類のみであるため、配線、ＬＥＤ駆動回路の構成、駆動方法は１種類となり、複数種類のＬＥＤを使用する場合に比して簡易となる。
【００２３】
ＬＥＤ１２は、白色光を出射するものである。ＬＥＤ１２は、所定色を発光するＬＥＤ素子とかかる発光光を受けて励起される色との合成色で白色が形成されるものでよく、例えば青色ＬＥＤ素子に励起用の緑色蛍光体及び赤色蛍光体を被せて青色Ｂに緑色Ｇと赤色Ｒとを混合するものである。図３（ａ）は、ＬＥＤ１２自体から出射される光の強度とその波長成分とを示したもので、本実施例では、中心波長４５０ｎｍ辺りのＢ（青）光の他に、中心波長５５０ｎｍ辺りのＧ（緑）光と、中心波長６５０ｎｍ辺りのＲ（赤）光との各成分をややピークとする特性のものである。
【００２４】
導光板１３は、ＬＥＤ１２からの白色光を透過させると共に、必要な散乱乃至は拡散を行わせるものである。反射シート１４は散乱等されて下方に向かう光を上方に向けるものである。導光板１３と反射シート１４とで上方に向かう、均一な輝度分布に調整された平面光が形成される。
【００２５】
光学シート１５は、所定の平面形状、一般的には長方形をなし、所定枚数、例えば３枚のシートを備えている。光学シート１５は、例えば拡散シートやレンズシート等が含まれている。拡散シートは入射された光を拡散するものであり、レンズシートは光の面を偏向させて、反射シート１４との間で往復させることで所定の偏向面の光を透過させて光の利用効率すなわち輝度を上げるものである。
【００２６】
液晶パネル１７は、光学シート１５と略同一形状をなし、光学シート１５の上面側に敷設される。液晶パネル１７は、図では示していないが、公知のように、液晶が封入された液晶パネル部と、その前面側と裏面側とに貼り付けられた各偏光板とを有する。液晶パネル１７の液晶パネル部は、ＴＦＴ（薄膜トランジスタ）等のスイッチング素子を含むアレイ基板と、アレイ基板と対向して配置され、各色のカラーフィルタが配列形成された対向基板と、両者間に充填される液晶とを含む。液晶パネル１７のカラーフィルタは、図２のフィルタ特性、すなわち透過率特性に見られるように、波長４５０ｎｍ辺りをピークとするＢ光の透過特性、波長５４０ｎｍ辺りをピークとするＧ光の透過特性、及び波長６００〜６５０ｎｍをピークとするＲ光の透過特性を示している。一般的な液晶パネル１７のフィルタ透過特性では、Ｂ／Ｇ間の色（シアン）、Ｇ／Ｒ間の色（イエロー）の混合成分を一部含むことから、単色表示の場合の色再現性に限界がある。
【００２７】
次に、フレーム１６は、金属材又は樹脂材からなり、側面視でＬ字状をなし、シャーシ１０との間で、ＬＥＤ基板１１、反射シート１４、導光板１３、光学シート１５、及び色域調整フィルタ板１９を支持する。また、フレーム１６は、上面一部に段部を有し、液晶パネル１７を光学シート１５と離間して支持する。枠体１８は金属製等のベセルで、液晶パネル１７の周囲縁部を上方から当接してフレーム１６との間で液晶パネル１７を支持する。なお、フレーム１６及び枠体１８は、液晶パネル１７の周囲を囲む環状体を有し、シャーシ１０の上方からシャーシ１０上に配置された各部材に被せることで組み付けるようにしている。なお、シャーシ１０、フレーム１６及び枠体１８間の連結は公知の締結方法が採用可能である。
【００２８】
シャーシ１０の立直部１０１の内側に取り付けられたＬＥＤ基板１１に実装されたＬＥＤ１２の出射面と導光板１３の左側面との間隙は、色域調整フィルタ９の厚さより広く設定されている。そして、シャーシ１０とフレーム１６の対向する位置には、図１の奥行き方向に亘って、位置決め部、例えば嵌合用の溝（図５の溝１０２、溝１６２を参照）が形成されている。色域調整フィルタ板１９を間隙の中央に形成した溝（１０２，１６２）に嵌合し、位置固定することで、色域調整フィルタ板１９をＬＥＤ１２及び導光板１３に接触させることなく、正確な位置決め、また取り付け時等の作業性向上が図れる。
【００２９】
色域調整フィルタ板１９は、図１（ｂ）に示すように、取り扱いや間隙寸法との兼ね合いから設定された厚さ、例えば０．１〜０．３ｍｍの厚さを有する透明樹脂又はガラス基材を備えたシート体で、その表面にフィルタ作用を発揮する誘電体多層膜が形成されている。誘電体多層膜は、公知のように屈折率の異なる複数の誘電体膜を多層積層したもので、かかる多層積層構造を採用することで、所望する波長帯のバンドカットフィルタ（帯域遮断フィルタ）を形成することができる。誘電体膜としては、酸化チタン(TiO2)、酸化ケイ素(SiO2)、酸化タンタル(Ta2O3)、フッ化マグネシウム(MgF2)等が用いられる。誘電体膜は、真空蒸着法やスパッタ法等により、色域調整フィルタ板１９上に形成される。また、帯域遮断フィルタとして、前記反射型の他、吸収型を採用してもよい。吸収型のフィルタとしては、光の吸収に波長選択性のある材料、例えば半導体微粒子等をガラスや樹脂フィルム中に分散させたものが採用可能である。
【００３０】
続いて、図３により、色域調整フィルタ板１９のバンドカットフィルタ特性について説明する。まず、図３（ａ）〜（ｃ）の比較例では、図３（ａ）に示すＬＥＤ１２自体の出射光の強度特性と、図２に示す液晶パネル１７のカラーフィルタ特性とから、ＬＥＤ１２から出射した後、最終的に液晶パネル１７を通過した光は、図３（ｂ）に示す各色の光強度特性を示す。図３（ｂ）では、Ｂ色とＧ色とが一部混合し、さらにＧ色とＲ色とが一部混合していることが認められる。従って、図３（ｃ）に示すように、色域の広さを示す三角形Ｔｒの辺の長さ、特に色度Ｇ，Ｒを結ぶ線分は短く、Ｇ色、Ｒ色の単色表示での色域は狭い。
【００３１】
次に、図３（ｄ）〜（ｆ）の本発明に係る実施例について説明する。色域調整フィルタ板１９の誘電体多層膜は、図３（ｄ）に破線で示すように、不要帯域である２波長の帯域を除去するべく形成されている。
【００３２】
第１の誘電体多層膜１９Ａは、色域調整フィルタ板１９の導光板１３側の表面に形成され、矢印（Ｂ／Ｇ）で示すようにＢ色とＧ色の間の波長４７０ｎｍ〜５１０ｎｍを除去するものであり、第２の誘電体多層膜１９Ｂは、色域調整フィルタ板１９のＬＥＤ１２側の表面に形成され、矢印（Ｇ／Ｒ）で示すようにＧ色とＲ色の間の波長５７０ｎｍ〜６００ｎｍを除去するものである（図１（ｂ）参照）。
【００３３】
このように、第１、第２の誘電体多層膜１９Ａ，１９Ｂを、色域調整フィルタ板１９の両面側に形成することで、誘電体多層膜材と色域調整フィルタ板１９の基材との熱膨張率の違いにより反りが発生する場合があっても、両面に誘電体多層膜を形成することで、反りの発生が抑制されることとなる。また、重要視されるバンドカット特性を有する誘電体多層膜を出射側である導光板１３に近い側に形成することで、迷光の影響などを、入射側に形成した場合に比して軽減することが可能となる。なお、波長５７０ｎｍ〜６００ｎｍのバンドカットフィルタの例としてノッチフィルタが知られている。また、波長４７０ｎｍ〜５１０ｎｍを含めてカットする例として３波長バンドパスフィルタが知られている。
【００３４】
ＬＥＤ１２から出射され、色域調整フィルタ板１９を透過した光は、図３（ｄ）に示す強度特性を示し、この強度特性と、図２に示す液晶パネル１７のカラーフィルタ特性とから、ＬＥＤ１２から色域調整フィルタ板１９を経由して、最終的に液晶パネル１７を通過した光は、図３（ｅ）に示す光強度特性を示す。図３（ｅ）では、Ｂ色とＧ色とが分離し、さらにＧ色とＲ色とが分離していることが認められる。従って、図３（ｆ）に示すように、色域の広さを示す三角形Ｔｒの色度Ｇ，Ｒを結ぶ線分Ｌｇｒが両側に伸びており、Ｇ色、Ｒ色の単色表示に対する広色域化が図れ、さらに三角形Ｔｒの面積も増大していることから、色再現性が向上している。なお、誘電体多層膜は色域調整フィルタ板１９の両面に形成してもよいが、同一面側に重畳して形成する態様でもよい。
【００３５】
次に、図４〜図７を用いて、色域調整フィルタ板１９の支持構造について説明する。なお、図中、各部材の厚さは、説明の便宜上誇張されている。図４に示す第１の実施形態では、色域調整フィルタ板１９は、下端縁がシャーシ１０の溝１０２に嵌合し、上端側一方側面が位置決め用の突部１６１に当接して位置決めされている。シャーシ１０側の溝１０２を所要の深さに形成することで、色域調整フィルタ板１９を立直姿勢に維持することがより容易となる。色域調整フィルタ板１９は、位置決めされることによって、隣接する導光板１３及びＬＥＤ１２と非接触状態に維持され、不用意な位置ずれや接触による表面へのキズの付着が阻止される。なお、色域調整フィルタ板１９と突部１６１との当接箇所に接触状態を維持する処置、例えば接着剤を塗布するようにしてもよい。
【００３６】
図５に示す第２の実施形態では、シャーシ１０の溝１０２とフレーム１６の溝１６２とが互いに対向する位置に平行に形成されている。色域調整フィルタ板１９は、下端縁がシャーシ１０の溝１０２に嵌合し、上端縁がフレーム１６の溝１６２に嵌合して位置決めされている。色域調整フィルタ板１９は、上下端縁を溝１０２，１６２に勘合されることで隣接する導光板１３及びＬＥＤ１２と非接触状態に維持され、不用意な位置ずれや接触による表面へのキズの付着が阻止される。
【００３７】
図６に示す第３の実施形態では、シャーシ１０の溝１０２とフレーム１６の溝１６２とが互いに対向する位置に平行に形成されている。色域調整フィルタ板１９は、下端縁がシャーシ１０の溝１０２に嵌合し、上端縁がフレーム１６の溝１６２に嵌合して位置決めされている。フレーム１６の溝１６２の両側に突部１６１，１６３を設けることで、嵌合状態がより確実に維持され、また、ＬＥＤ基板１１の上端縁部分にスペースができる分、ＬＥＤ基板１１の収容性が高められる。
【００３８】
図７に示す第４の実施形態では、色域調整フィルタ板１９は、フィルタ部１９１と、側面視でＬ字状をなす屈曲部１９２とを有する。屈曲部１９２は、フィルタ部１９１に延設部を設け、その部分を屈曲して構成してもよいし、フィルタ部１９１の一端部に別部材を接着等して形成したものでもよい。色域調整フィルタ板１９は、下端縁がシャーシ１０の溝１０２に嵌合し、上部側は屈曲部１９２がフレーム１６の下面側に当接することで位置決めされている。図７（ｂ）のように、屈曲部１９２の先端が、シャーシ１０の立直部１０１に当接する態様とすることで、溝１０２から抜けることも防止でき、位置決めがより効果的となる。色域調整フィルタ板１９は、位置決めされることによって、隣接する導光板１３及びＬＥＤ１２と非接触状態に維持され、不用意な位置ずれや接触による表面へのキズの付着が阻止される。
【００３９】
また、位置決め部を、シャーシ１０及びフレーム１６の少なくとも一方に設けることで、色域調整フィルタ板１９の位置決めが少なくとも可能となる。また、色域調整フィルタ板１９の上下端面に長手方向の溝を形成し、この溝に勘合する突条体を、位置決め部としてシャーシ１０及びフレーム１６の少なくとも一方に対応して形成する構成としてもよい。また、位置決め部は長手方向に亘って形成される必要はなく、長手方向の少なくとも１箇所に形成されていてもよい。
【００４０】
なお、白色ＬＥＤ１２は、前記実施例に代えて、青色を発光するＬＥＤ素子にＹＡＧ（Yttrium Aluminum Garnet）蛍光体を被せて青色と励起させた黄色（５５０ｎｍ辺り）とを混合するものでもよい。
【００４１】
また、色域調整フィルタ板１９は、ＬＥＤ１２や液晶パネル１７とは分離して配置するものであるから、製造段階で、あるいは製造後にフレーム１６とシャーシ１０とが取り外し可能な態様である場合、用途に応じて色域調整フィルタ板１９を適宜使い分け乃至は交換すれば、用途に応じた色域特性のカラー表示装置を実現可能である。例えば、各色度が規格化されている業界用に対して、また特定の色味を帯びるような用途に対して、ＬＥＤ１２及び液晶パネル１７を変更（交換）することなく、又は特性を変えることなく、予め準備等された中の、適合するバンドカット特性を有する持つ第１、第２の誘電体多層膜１９Ａ，１９Ｂが形成された色域調整フィルタ板１９で対応することが可能となる。
【００４２】
また、図１（ｂ）、図３（ｄ）〜（ｆ）は、混合色帯域に対するバンドカット用として第１の誘電体多層膜１９Ａ及び第２の誘電体多層膜１９Ｂを備えた構成としたが、第１の誘電体多層膜１９Ａ及び第２の誘電体多層膜１９Ｂの少なくとも一方を採用した態様としても対応する色に関して、広色域化が図れる。さらに、図３（ｄ）には、本来のＢ色に比して短波長側（矢印（Ｂ））及び本来のＲ色に比して長波長側（矢印（Ｒ））が示されているが、本発明は、これらの波長域をカットする誘電体多層膜がそれぞれ積層的に形成された色域調整フィルタ板１９を採用して、広色域化を図るようにしてもよい。この場合、不要波長域をカットすることによって広色域化の図る観点から、第１の誘電体多層膜１９Ａ、第２の誘電体多層膜１９Ｂ、図３（ｄ）の矢印（Ｒ）に対応する波長域をカットする第３の誘電体多層膜、及び矢印（Ｂ）に対応する波長域をカットする第４の誘電体多層膜のうち、少なくとも１種類以上の誘電体多層膜（以上、吸収型の遮断フィルタでも同様）が形成された色域調整フィルタ板１９が採用可能である。
【００４３】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４４】
１  カラー表示装置
１０  シャーシ（第２の支持部材）
１２  ＬＥＤ（白色光源）
１３  導光板
１６  フレーム（第１の支持部材）
１０２、１６２  溝（位置決め部）
１６１，１６３  突部（位置決め部）
１７  液晶パネル
１９  色域調整フィルタ板（フィルタ板）
１９Ａ  第１の誘電体多層膜
１９Ｂ  第２の誘電体多層膜
【図４】
2016004141.tif 000003
【図５】
2016004141.tif 000004
【図６】
2016004141.tif 000005
【図７】
2016004141.tif 000006
【図１】
2016004141.tif 000007
【図２】
2016004141.tif 000008
【図３】
2016004141.tif 000009